(57)【特許請求の範囲】
【請求項１】
開口部を含み且つ前記開口部を通して受容方向に沿って相手側コネクタを部分的に受容する受容部を有するハウジングと、
前記受容方向において前記開口部から離れて位置する回動軸であって前記受容方向と直交する所定方向に延びる回動軸と、
２つ以上の分割蓋部からなる蓋部であって前記開口部を覆う閉状態と前記相手側コネクタを部分的に前記受容部に受容可能とする開状態とを取り得る蓋部と、
前記分割蓋部の一つと前記回動軸とを夫々連結する複数のアームと
を備えており、
前記アームの夫々は、回転可能となるように前記回動軸に連結されており、
前記分割蓋部の夫々は、回転可能となるように対応する前記アームに連結されており、
前記分割蓋部の夫々は、前記蓋部を閉じた際に前記所定方向及び前記受容方向の双方と直交する横方向において当該分割蓋部と他の分割蓋部との境界を一端とする所定サイズを有しており、
前記分割蓋部における前記アームとの連結位置は、前記分割蓋部の横方向において、当該分割蓋部の前記所定サイズを二等分して得られる２つの範囲のうちの前記一端を含む一方の範囲内にある
コネクタ。
【請求項２】
請求項１記載のコネクタであって、
前記回動軸は、前記横方向において前記受容部の外側に位置している
コネクタ。
【請求項３】
請求項１又は請求項２記載のコネクタであって、
前記回動軸は複数あり、
前記アームは複数の前記回動軸のいずれか一つに連結されている
コネクタ。
【請求項４】
請求項３記載のコネクタであって、
前記アームの夫々は、前記所定方向に沿って見た場合にＬ字状形状を有していると共に前記所定方向に沿って前記Ｌ字状形状のコーナー部分から突出した突出部を備えており、
前記コネクタは、複数の前記アームの前記突出部がスライド可能となるように複数の前記アームの前記突出部を支持することにより複数の前記アームに対応する前記分割蓋部同士の動きを連動させる連動部材を更に備えている
コネクタ。
【請求項５】
請求項４記載のコネクタであって、
前記連動部材は、姿勢を維持した状態で前記受容方向に沿って移動可能となるように、前記ハウジングに支持されている
コネクタ。
【請求項６】
請求項４又は請求項５記載のコネクタであって、
前記連動部材は、２つの前記アームの前記突出部をスライド可能となるように支持している
コネクタ。
【請求項７】
請求項６記載のコネクタであって、
前記連動部材は、前記２つのアームの突出部をスライド可能となるように支持するガイドスロットを有しており、
前記ガイドスロットは、前記横方向における前記連動部材の中心に対して対称に延びている
コネクタ。
【請求項８】
請求項６又は請求項７記載のコネクタであって、
前記連動部材に支持された前記２つのアームは、前記横方向における両者の中心に対して対称な形状を有し且つ対称に配置されている
コネクタ。
【請求項９】
請求項１乃至請求項８のいずれかに記載のコネクタであって、
前記蓋部は、２つの前記分割蓋部からなり、
前記コネクタは、２つの係止部を有するロック機構を更に備えており、
前記係止部は、前記２つの分割蓋部の境界近傍に夫々係止することにより、前記蓋部を前記閉状態に維持するものである
コネクタ。
【請求項１０】
請求項９記載のコネクタであって、
前記分割蓋部の夫々には、蓋部側係止部が設けられており、
前記受容部には、前記蓋側係止部に夫々対応する２つの受容部側係止部が設けられており、
前記蓋部を閉じた際に前記蓋部側係止部が前記受容部側係止部に夫々係止することにより、前記ロック機構の前記係止部による前記閉状態の維持を補強する
コネクタ。
【請求項１１】
請求項１０記載のコネクタであって、
前記蓋部側係止部及び前記受容部側係止部は、前記閉状態において、前記受容方向と斜交する斜面を夫々有しており、前記斜面同士を互いに押し合うように接触させて係止している
コネクタ。
【請求項１２】
請求項１０又は請求項１１記載のコネクタであって、
前記分割蓋部の夫々には、蓋部側係止補助部が設けられており、
前記受容部には、前記蓋側係止補助部に夫々対応する２つの受容部側係止補助部が設けられており、
前記蓋部側係止補助部と前記受容部側係止補助部とは、前記蓋部を閉じた際に互いに係止することにより、前記ロック機構の前記係止部による前記閉状態の維持を補助するものであり、
前記蓋部を閉じた際、前記横方向において、前記蓋部側係止部及び前記受容部側係止部から前記境界までの距離は、前記蓋部側係止補助部及び前記受容部側係止補助部から前記境界までの距離より短い
コネクタ。
【請求項１３】
請求項９乃至請求項１２のいずれかに記載のコネクタであって、
前記ロック機構は、
前記係止部を有すると共に前記横方向に延びるロック軸を軸として回動可能なロック片と、
前記横方向において前記ロック片と接続された力受部であって前記受容方向に沿った力を受けると前記ロック片を回動させる力受部と、
押圧操作された際に、前記受容方向に沿った力を前記力受部に対して加えるための操作部材と
を備えている、コネクタ。
【請求項１４】
請求項１３記載のコネクタであって、
前記ハウジングには、前記操作部材を保持する操作部材保持部が設けられており、
前記操作部材には、被ガイド部が形成されており、
前記操作部材保持部には、前記被ガイド部をガイドする操作部材ガイド部が形成されている
コネクタ。
【請求項１５】
請求項１４記載のコネクタであって、
前記ロック片は、前記係止部を前記分割蓋部に係止するロック位置と、前記係止部の前記係止を解除する解除位置との間で回動可能であり、
前記ロック機構は、前記力受部から前記操作部材保持部内に延びる圧受部と、前記ロック片を前記ロック位置に向けて回動させるように前記操作部材保持部内において前記圧受部に力を加える加圧部とを備えている
コネクタ。
【発明の詳細な説明】
【技術分野】
【０００１】
本発明は、例えば電気自動車に組み込まれて給電コネクタから電力の供給を受ける受電コネクタに関する。
【背景技術】
【０００２】
一般的に、受電コネクタには、受電時に給電コネクタの嵌合部を受容する受容部と、受電時以外のときに受容部内部を保護するための蓋又はシャッタとが設けられている。
【０００３】
例えば、特許文献１には、受容部の縁の一部にヒンジ機構が設けられており、そのヒンジ機構によって蓋が開閉可能となっている。
【０００４】
特許文献２においては、略円形のシャッタが２つの略半円状の分割シャッタに分割されており、相手側コネクタとの嵌合方向（相手側コネクタの一部を受容する際の受容方向）において、それら２つの分割シャッタが分割境界部分の一端近傍を軸として嵌合方向（受容方向）と直交する平面内において回動することにより開閉可能となっている。
【０００５】
受電コネクタではないがシャッタを有するコネクタとしては、特許文献３に開示されたものもある。特許文献３のコネクタでは、２つに分割されたシャッタが受容部の縁近傍で回動可能に支持されており、嵌合方向に沿って相手側コネクタと嵌合する際に相手側コネクタの一部によってシャッタが回動させられ、それによってシャッタが開くこととなっている。
【先行技術文献】
【特許文献】
【０００６】
【特許文献１】特開平７−８５９２６号公報、図１左図
【特許文献２】特開２０１１−６２０５０号公報
【特許文献３】特開平８−１３８７８５号公報
【発明の概要】
【発明が解決しようとする課題】
【０００７】
特許文献１のコネクタの場合、給電コネクタに接続されたケーブルの引き回しによっては蓋が邪魔になってしまうという問題がある。特許文献２のコネクタの場合、蓋の開閉動作を保証するために必要とされる領域（回動マージン）が大きすぎるという問題がある。更に、特許文献３のコネクタの場合、嵌合方向におけるシャッタ回動のために嵌合方向において大きな領域マージンを確保しなければならないという問題がある。
【０００８】
そこで、本発明は、開閉動作のために大きすぎる領域マージンをとることなく蓋を開閉可能な構造を備えるコネクタを提供することを目的とする。
【課題を解決するための手段】
【０００９】
本発明は、第１のコネクタとして、
開口部を含み且つ前記開口部を通して受容方向に沿って相手側コネクタを部分的に受容する受容部を有するハウジングと、
前記受容方向において前記開口部から離れて位置する回動軸であって前記受容方向と直交する所定方向に延びる回動軸と、
２つ以上の分割蓋部からなる蓋部であって前記開口部を覆う閉状態と前記相手側コネクタを部分的に前記受容部に受容可能とする開状態とを取り得る蓋部と、
前記分割蓋部の一つと前記回動軸とを夫々連結する複数のアームと
を備えており、
前記アームの夫々は、回転可能となるように前記回動軸に連結されており、
前記分割蓋部の夫々は、回転可能となるように対応する前記アームに連結されており、
前記分割蓋部の夫々は、前記蓋部を閉じた際に前記所定方向及び前記受容方向の双方と直交する横方向において当該分割蓋部と他の分割蓋部との境界を一端とする所定サイズを有しており、
前記分割蓋部における前記アームとの連結位置は、前記分割蓋部の前記横方向において、当該分割蓋部の前記所定サイズを二等分して得られる２つの範囲のうちの前記一端を含む一方の範囲内にある
コネクタを提供する。
【００１０】
また、本発明は、第２のコネクタとして、第１のコネクタであって、
前記回動軸は、前記横方向において前記受容部の外側に位置している
コネクタを提供する。
【００１１】
また、本発明は、第３のコネクタとして、第１又は第２のコネクタであって、
前記回動軸は複数あり、
前記アームは複数の前記回動軸のいずれか一つに連結されている
コネクタを提供する。
【００１２】
また、本発明は、第４のコネクタとして、第３のコネクタであって、
前記アームの夫々は、前記所定方向に沿って見た場合にＬ字状形状を有していると共に前記所定方向に沿って前記Ｌ字状形状のコーナー部分から突出した突出部を備えており、
前記コネクタは、複数の前記アームの前記突出部がスライド可能となるように複数の前記アームの前記突出部を支持することにより複数の前記アームに対応する前記分割蓋部同士の動きを連動させる連動部材を更に備えている
コネクタを提供する。
【００１３】
また、本発明は、第５のコネクタとして、第４のコネクタであって、
前記連動部材は、姿勢を維持した状態で前記受容方向に沿って移動可能となるように、前記ハウジングに支持されている
コネクタを提供する。
【００１４】
また、本発明は、第６のコネクタとして、第４又は第５のコネクタであって、
前記連動部材は、２つの前記アームの前記突出部をスライド可能となるように支持している
コネクタを提供する。
【００１５】
また、本発明は、第７のコネクタとして、第６のコネクタであって、
前記連動部材は、前記２つのアームの突出部をスライド可能となるように支持するガイドスロットを有しており、
前記ガイドスロットは、前記横方向における前記連動部材の中心に対して対称に延びている
コネクタを提供する。
【００１６】
また、本発明は、第８のコネクタとして、第６又は第７のコネクタであって、
前記連動部材に支持された前記２つのアームは、前記横方向における両者の中心に対して対称な形状を有し且つ対称に配置されている
コネクタを提供する。
【００１７】
また、本発明は、第９のコネクタとして、第１乃至第８のいずれかのコネクタであって、
前記蓋部は、２つの前記分割蓋部からなり、
前記コネクタは、２つの係止部を有するロック機構を更に備えており、
前記係止部は、前記２つの分割蓋部の境界近傍に夫々係止することにより、前記蓋部を前記閉状態に維持するものである
コネクタを提供する。
【００１８】
また、本発明は、第１０のコネクタとして、第９のコネクタであって、
前記分割蓋部の夫々には、蓋部側係止部が設けられており、
前記受容部には、前記蓋側係止部に夫々対応する２つの受容部側係止部が設けられており、
前記蓋部を閉じた際に前記蓋部側係止部が前記受容部側係止部に夫々係止することにより、前記ロック機構の前記係止部による前記閉状態の維持を補強する
コネクタを提供する。
【００１９】
また、本発明は、第１１のコネクタとして、第１０のコネクタであって、
前記蓋部側係止部及び前記受容部側係止部は、前記閉状態において、前記受容方向と斜交する斜面を夫々有しており、前記斜面同士を互いに押し合うように接触させて係止している
コネクタを提供する。
【００２０】
また、本発明は、第１２のコネクタとして、第１０又は第１１のコネクタであって、
前記分割蓋部の夫々には、蓋部側係止補助部が設けられており、
前記受容部には、前記蓋側係止補助部に夫々対応する２つの受容部側係止補助部が設けられており、
前記蓋部側係止補助部と前記受容部側係止補助部とは、前記蓋部を閉じた際に互いに係止することにより、前記ロック機構の前記係止部による前記閉状態の維持を補助するものであり、
前記蓋部を閉じた際、前記横方向において、前記蓋部側係止部及び前記受容部側係止部から前記境界までの距離は、前記蓋部側係止補助部及び前記受容部側係止補助部から前記境界までの距離より短い
コネクタを提供する。
【００２１】
また、本発明は、第１３のコネクタとして、第９乃至第１２のいずれかのコネクタであって、
前記ロック機構は、
前記係止部を有すると共に前記横方向に延びるロック軸を軸として回動可能なロック片と、
前記横方向において前記ロック片と接続された力受部であって前記受容方向に沿った力を受けると前記ロック片を回動させる力受部と、
押圧操作された際に、前記受容方向に沿った力を前記力受部に対して加えるための操作部材と
を備えている、コネクタを提供する。
【００２２】
また、本発明は、第１４のコネクタとして、第１３のコネクタであって、
前記ハウジングには、前記操作部材を保持する操作部材保持部が設けられており、
前記操作部材には、被ガイド部が形成されており、
前記操作部材保持部には、前記被ガイド部をガイドする操作部材ガイド部が形成されている
コネクタを提供する。
【００２３】
更に、本発明は、第１５のコネクタとして、第１４のコネクタであって、
前記ロック片は、前記係止部を前記分割蓋部に係止するロック位置と、前記係止部の前記係止を解除する解除位置との間で回動可能であり、
前記ロック機構は、前記力受部から前記操作部材保持部内に延びる圧受部と、前記ロック片を前記ロック位置に向けて回動させるように前記操作部材保持部内において前記圧受部に力を加える加圧部とを備えている
コネクタを提供する。
【発明の効果】
【００２４】
本発明によれば、回動軸を開口部から離す一方でその回動軸と分割蓋部とをアームによって接続することとし、更に、分割蓋部のうちアームと接続される部分をその分割蓋部における他の分割蓋部との境界に近い部分とすることとしたため、開いた分割蓋部を受容部の外周に沿わせることも可能となり、従って、開いた分割蓋部のために必要とされる領域マージンを小さくすることができる。
【図面の簡単な説明】
【００２５】
【図１】本発明の実施の形態によるコネクタと相手側コネクタとを示す斜視図である。
【図２】図１に示されるコネクタを示す斜視図である。コネクタの蓋部は閉状態にある。
【図３】図２のコネクタを反対方向から見た斜視図である。
【図４】図２に示されるコネクタで、コネクタの蓋部は閉状態から開状態に移行する過程にある。
【図５】図２に示されるコネクタで、コネクタの蓋部は開状態にある。
【図６】図５のコネクタを示す側面図である。
【図７】図１のコネクタのハウジングを示す斜視図である。
【図８】図７のハウジングを示す他の斜視図である。
【図９】図７のハウジングの操作部材保持部を示す斜視図である。
【図１０】図１のコネクタの分割蓋部の一方を示し、蓋部の裏側から見た斜視図である。
【図１１】図１０の分割蓋部を蓋部の表側から見た斜視図である。
【図１２】図１０の分割蓋部の一部を示す断面図である。
【図１３】図１０の分割蓋部に取り付けられるパッキンを示す斜視図である。
【図１４】コネクタの蓋部を閉状態に維持する構造の説明に用いられる断面図である。
【図１５】図１のコネクタに含まれるアームを示す斜視図である。
【図１６】図１のコネクタに含まれる連動部材を示す斜視図である。
【図１７】図１のコネクタのロック機構の一部を示す斜視図である。
【図１８】図１のコネクタのロック機構の操作部材を示す斜視図である。
【図１９】図１のコネクタのロック機構を示す図である。ロック機構のロック片は解除位置にある。
【図２０】図１９のロック機構を示す断面図である。
【発明を実施するための形態】
【００２６】
図１に示されるように、本実施の形態によるコネクタ１０は、例えば電気自動車（図示せず）に組み込まれる受電コネクタ（インレット）であり、相手側コネクタ（給電コネクタ又はプラグ）５０の嵌合部５２と嵌合するものである。
【００２７】
図２乃至図６に示されるように、コネクタ１０は、絶縁体からなるハウジング（インレット本体）１００と、金属製の回動軸４００と、絶縁体からなる蓋部（インレットリッド）５００と、金属製のアーム６００及び連動部材７００と、ハウジング１００の一部を含んで構成されるロック機構８００とを備えている。
【００２８】
図７及び図８に示されるように、ハウジング１００は、略円筒形状の受容部２００と、電気自動車（図示せず）に取り付け固定されるフランジ３００とを有している。
【００２９】
同図７及び図８に示されるように、受容部２００は、開口部２１０を有しており、その開口部２１０を通して＋Ｚ方向（受容方向）に沿って相手側コネクタ５０の嵌合部５２を受容可能となるように構成されている。この受容部２００内には、電気的接続を司る端子収容部２２０が配されている。
【００３０】
同図７及び図８に示されるように、受容部２００のＹ方向（横方向）の両端には、回動軸４００を回転可能となるように支持する（軸受けする）軸受部２３２が夫々設けられている。即ち、図から明らかであるように、軸受部２３２は、受容部２００の外側に位置している。また、図示されたように、軸受部２３２は、Ｚ方向において、開口部２１０から離れた位置に形成されている。図２乃至図４と図７及び図８から理解されるように、回動軸４００は、Ｘ方向（所定方向）に延びるように軸受部２３２に軸受けされている。
【００３１】
同図７及び図８に示されるように、受容部２００のＸ方向の一端には支持ガイド部２３４が形成され、他端には操作部材保持部２４０が形成されている。支持ガイド部２３４は、Ｚ方向に沿って延びる溝であり、ＸＹ平面内において台形状の断面を有している。図９に示されるように、操作部材保持部２４０は、内部が空洞の略箱型の形状を有している。この操作部材保持部２４０には、操作部材ガイド部２４２とロック軸受部２４４とが形成されている。操作部材ガイド部２４２は、ＹＺ平面に沿って操作部材保持部２４０を割るように設けられた溝であり、操作部材保持部２４０の−Ｚ側端部（上端）から＋Ｚ方向に向かって延びている。ロック軸受部２４４は、Ｙ方向において操作部材保持部２４０を貫通する孔であり、後述するように、ロック軸（後述）を軸受けするための部位である。
【００３２】
図７及び図８に示されるように、受容部２００の縁、即ち、開口部２１０近傍には、２つの受容部側係止部２５０と、２つの受容部側係止補助部２６０とが形成されている。受容部側係止部２５０と受容部側係止補助部２６０とは、いずれも−Ｚ方向（上方）に向かうに連れてＸＹ平面内において外側に向かって突出するような突起であり、図１４に示されるように、夫々、斜面２５２又は斜面２６２を有している。図７及び図８から理解されるように、受容部側係止部２５０は、受容部側係止補助部２６０よりも操作部材保持部２４０から遠い位置にある。図７から理解されるように、Ｙ方向中心（横方向中心）、即ち、支持ガイド部２３４と操作部材保持部２４０を結ぶ線に対して、受容部側係止部２５０は、受容部側係止補助部２６０より近い。換言すると、Ｙ方向中心から受容部側係止部２５０までの距離は、Ｙ方向中心から受容部側係止補助部２６０までの距離よりも短い。
【００３３】
図７及び図８に示されるように、フランジ３００には孔３０５が形成されている。図２乃至図５並びに図７及び図８から理解されるように、孔３０５を通してネジなどの固定部材３１０により、コネクタ１０は電気自動車（図示せず）に固定される。
【００３４】
図１乃至図６に示されるように、本実施の形態による蓋部５００は、２つの分割蓋部５１０からなる。換言すると、蓋部５００は、Ｙ方向中心を通り且つＸ方向に延びる線を境界５０２として２つの分割蓋部５１０に分割されている。図２及び図３から明らかなように、本実施の形態において分割蓋部５１０間の境界５０２は、支持ガイド部２３４とロック機構８００（操作部材保持部２４０）とを結ぶように延びている。
【００３５】
図１０及び図１１を参照すると２つの分割蓋部５１０の一方が示されている。他方の分割蓋部５１０は、図示された分割蓋部５１０と境界５０２に対して対称な構造を有しており、従って、その他方の分割蓋部５１０自体についての説明は省略する。
【００３６】
図１０及び図１１に示されるように、分割蓋部５１０は、略半円板状の形状を有している。分割蓋部５１０の裏面５１４上には半円板状の形状を有し且つ裏面５１４から下方に突出してなる半円状突部５２０が形成されている。更に、分割蓋部５１０には半円状突部５２０を囲うようにパッキン収容部５３０が形成されている。パッキン収容部５３０は、分割蓋部５１０の裏面５１４に設けられた半分の環状の形状を有する溝部である半環溝部５３２と、分割蓋部５１０の一端５１２に形成された溝部である端部溝部５３４とからなる。
【００３７】
図１０及び図１２に示されるように、分割蓋部５１０には、受容部側係止部２５０に対応する蓋部側係止部５６０と、受容部側係止補助部２６０に対応する蓋部側係止補助部５７０とが設けられている。蓋部側係止部５６０から一端５１２までの距離は、蓋部側係止補助部５７０から一端５１２までの距離よりも短い。即ち、なるべく一端５１２に近いところで蓋を係止したいためで、また蓋部側係止補助部５７０側はロック機構８００のロック片８２２により押さえられるため、蓋部側係止部５６０は、蓋部側係止補助部５７０よりも一端５１２に近い。
【００３８】
図１０及び図１２から理解されるように、蓋部側係止部５６０と蓋部側係止補助部５７０は、夫々、分割蓋部５１０の半円板形状の径方向において、パッキン収容部５３０の半環溝部５３２内に突出している。図１２及び図１４に示されるように、蓋部側係止部５６０と蓋部側係止補助部５７０のいずれも、斜め上方向に向いた斜面５６２，５７２を有している。即ち、蓋部側係止部５６０と蓋部側係止補助部５７０のいずれも、裏面５１４から離れる（＋Ｚ方向に向かう）に連れて径方向内側に向かって（ＸＹ平面内において内側に向かって）突出するような突起である。
【００３９】
図１０及び図１１に示されるように、分割蓋部５１０には、２つの連結部５５０が設けられている。連結部５５０は、分割蓋部５１０の一端５１２に近いところに設けられている。詳しくは、図２及び図３に示されるように、蓋部５００が受容部２００の開口部２１０を覆った状態（閉状態）において蓋部５００をＸ方向に沿って見た場合に、分割蓋部５１０は、Ｙ方向において所定サイズを有しており、連結部５５０は、その所定サイズを二等分して得られる２つの範囲のうちの一端５１２を含む一方の範囲内に形成されている。各連結部５５０は、コの字状の形状を有しており、孔５５２が形成されている。図１１に示されるように、本実施の形態においては、一方の連結部５５０の一端５１２側にロック機構８００により係止される被係止部５４０が設けられている。図１０及び図１１から理解されるように、蓋部側係止部５６０は、蓋部側係止補助部５７０よりも被係止部５４０から遠い位置にある。
【００４０】
図１３に示されるように、パッキン（シール部材）５８０は、環状の半分の形状を有する半環部５８２と、半環部５８２の両端を連結する帯状の端帯部５８４とからなる。半環部５８２と端帯部５８４とは互いに直交しており、スペース５８６を囲うようにして閉じている。このパッキン５８０は、分割蓋部５１０に取り付けられる。詳しくは、半円状突部５２０をスペース５８６内に入れて、半環部５８２を半環溝部５３２に嵌めると共に端帯部５８４を端部溝部５３４に嵌めることで、パッキン５８０はパッキン収容部５３０に収容される。本実施の形態によるパッキン５８０は、シリコンゴム等の弾性体で一体形成されたものであるが、弾性を有し且つシール可能なものであれば他の材料にて構成しても構わない。
【００４１】
図２乃至図６に示されるように、アーム６００は、回動軸４００と分割蓋部５１０とを連結している。図６に示されるように、アーム６００は、Ｘ方向に沿って見た場合にＬ字状形状を有している。図１５を参照すると、アーム６００の形状が明確に示されている。この図１５に示されるアーム６００は、本実施の形態に用いられている２種類のアーム６００のうちの一方である。他方のアーム６００は、図１５に示されるアーム６００と対称な形状・構造を有しており、それについての説明は省略することとする。図１５に示されるように、アーム６００は、細長い平板状の直腕部６０２と曲部を有するように形成された曲腕部６０４とがＬ字状形状のコーナー部分に相当する肘部６０６にて接続されてなるような形状を有している。肘部６０６からは、小さい円柱状の突出部６１０が突出している。直腕部６０２の端部近傍と曲腕部６０４の端部近傍には孔状の連結部６２０及び６３０が形成されている。また、曲腕部６０４の連結部６３０近傍には、小片状のばね押さえ部６３４が形成されている。
【００４２】
図２乃至図６及び図１５から理解されるように、受容部２００の軸受部２３２に支持された回動軸４００の両端には、トーションばね４２０とアーム６００の連結部６３０とが取り付けられ、夫々、Ｅリング４４０によって固定されている。これにより、アーム６００は、回動軸４００を軸として回転可能となるように回動軸４００に連結されている。なお、トーションばね４２０は、一端をフランジ３００に押し付けられ、他端をばね押さえ部６３４に押し付けられることにより、アーム６００が図５及び図６に示される状態となるように常にアーム６００に力を加え続けている。
【００４３】
図２乃至図６及び図１５から理解されるように、アーム６００の直腕部６０２の端部が分割蓋部５１０のコの字状の連結部５５０内に挿入され、アーム６００の他方の連結部６２０が分割蓋部５１０の連結部５５０に連結ピン（図示せず）などにより連結されている。これにより、分割蓋部５１０は、連結ピン（図示せず）などを軸として回転可能となるようにアーム６００に連結されている。
【００４４】
かかるアーム６００により、分割蓋部５１０は、図２及び図３に示される状態（閉状態）から図４の状態を経て図５及び図６に示される状態（開状態）まで状態を遷移させることができる。即ち、分割蓋部５１０は、アーム６００及び回動軸４００により、開状態と閉状態との間で状態遷移可能となるようにハウジング１００に取り付けられている。トーションばね４２０は、分割蓋部５１０を開状態に向けて付勢している。即ち、トーションばね４２０は、分割蓋部５１０に対して常に開状態に向かうように力を加えている。図５及び図６から理解されるように、蓋部５００が開状態にあるとき、各分割蓋部５１０はＸＺ平面と平行な面内に位置している。
【００４５】
図２、図４乃至図６に示されるように、連動部材７００は、Ｙ方向において２つの突出部６１０をスライド可能となるように支持している。詳しくは、図１６に示されるように、連動部材７００は、中心部７１０と、中心部７１０を挟んで対称に延びるバー７２０とを備えている。本実施の形態において、中心部７１０は長手を有するようにＺ方向に延びており、各バー７２０はＹ方向に長手を有するように延びている。これら中心部７１０とバー７２０とはＴ字状の形状を有するように接続されている。中心部７１０には、断面台形状の突出部からなる被支持ガイド部７３０が形成されている。図２、図４及び図５から理解されるように、被支持ガイド部７３０は、実質的にＺ方向のみにおいて移動可能となるように、受容部２００の支持ガイド部２３４に保持されている。これにより、連動部材７００は、Ｘ方向に沿って見た場合に姿勢を維持した状態で、Ｚ方向に沿って移動することができる。図１６を再び参照すると、各バー７２０には、長細い孔であるガイドスロット７２４が設けられている。２つのガイドスロット７２４は、中心部７１０を挟んで対称に延びている。詳しくは、本実施の形態におけるガイドスロット７２４は、夫々、Ｙ方向に長手を有するように延びている。図２、図４及び図５から理解されるように、これらガイドスロット７２４には、２つのアーム６００の突出部６１０が夫々保持される。これにより、連動部材７００は、２つの分割蓋部５１０同士の動きを連動させることができる。特に本実施の形態において、アーム６００は、Ｙ方向中心に対して対称な構造を有し且つ対称に配置されており、連動部材７００のガイドスロット７２４も中心部７１０に対して対称に配置されている。そのため、２つの分割蓋部５１０は、中心部７１０に対して互いに対称となるように同時に動くことができる。なお、ガイドスロット７２４の長さを変える（一方を長くする）などして、非対称な形状にしてもよい。また、Ｙ方向と斜交する方向に長手を有するようにバー７２０やガイドスロット７２４を変形してもよい。
【００４６】
図３に示されるように、蓋部５００の境界５０２の一端近傍にはロック機構８００が設けられている。図１１及び図１７から理解されるように、ロック機構８００の係止部８２４が分割蓋部５１０の被係止部５４０に係止することにより蓋部５００が閉状態に維持される。
【００４７】
ロック機構８００により蓋部５００が閉状態に維持されている一方で、各分割蓋部５１０はトーションばね４２０により蓋部５００が開状態に向かうように力を受け続けている。このような状況下では、蓋部５００がロック機構８００近傍以外の部分で浮いてしまう可能性もある。しかし、本実施の形態によるコネクタ１０においては、前述したように、受容部２００に受容部側係止部２５０と受容部側係止補助部２６０が形成されており、分割蓋部５１０に蓋部側係止部５６０と蓋部側係止補助部５７０が形成されている。これらの受容部側係止部２５０、受容部側係止補助部２６０、蓋部側係止部５６０及び蓋部側係止補助部５７０は、閉状態にある蓋部５００の浮き上がりを防止し、蓋部５００を閉状態に維持することを補強している。図１４に示されるように、詳しくは、蓋部５００を閉状態に遷移させる際（蓋部５００を閉じる際）に蓋部側係止部５６０を受容部側係止部２５０に当接させると共に蓋部側係止補助部５７０を受容部側係止補助部２６０に当接させ、それらの斜面５６２及び２５２並びに５７２及び２６２同士を互いの上をスライドさせるようにして分割蓋部５１０を閉状態に移行させる。すると、弾性体からなるパッキン５８０が圧縮され、そのパッキン５８０からの反力により、斜面２５２が斜面５６２に押し付けられ、斜面２６２が斜面５７２に押し付けられる。これによって、蓋部５００（分割蓋部５１０）が閉状態に強固に維持される。なお、蓋部５００の閉状態の維持の補強のためには、受容部側係止補助部２６０及び蓋部側係止補助部５７０側はロック機構８００のロック片８２２により押さえられているため、受容部側係止部２５０及び蓋部側係止部５６０が少なくともあればよく、受容部側係止補助部２６０及び蓋部側係止補助部５７０を省略することも可能である。
【００４８】
図３、図１７及び図１８から理解されるように、本実施の形態によるロック機構８００は、ロック軸８１０と、ロック軸８１０の周りに回動可能となるように取り付けられたロック部材８２０と、ロック部材８２０に力を加える加圧部８４０と、操作部材８５０とを、受容部２００に設けられた操作部材保持部２４０に取り付けてなるものである。
【００４９】
図１７を参照すると、ロック部材８２０は、２つのロック片８２２を力受部８３０の両端で連結してなるものであり、力受部８３０の途中には加圧部８４０からの圧を受ける圧受部８３２が設けられている。各ロック片８２２には、鉤状の係止部８２４が形成されている。ロック片８２２と圧受部８３２には、孔が形成されている。それらの孔に対してロック軸８１０が挿入され、Ｅリングをロック軸８１０に嵌めることにより、ロック部材８２０がロック軸８１０に対して取り付けられる。なお、ロック部材８２０を操作部材保持部２４０に取り付ける際には、ロック片８２２が操作部材保持部２４０のＹ方向外側に位置した状態でロック片８２２や圧受部８３２の孔と操作部材保持部２４０のロック軸受部２４４との位置を合わせて、ロック片８２２や圧受部８３２の孔及びロック軸受部２４４にロック軸８１０を挿通する。これにより、圧受部８３２は、箱状の操作部材保持部２４０の内部に収容されることとなる。
【００５０】
本実施の形態による加圧部８４０は、トーションばねである。この加圧部８４０は、一方のロック片８２２と圧受部８３２との間（詳しくは、ハウジング１００に取り付けられた状態では操作部材保持部２４０のＹ方向端部の壁とロック部材８２０の圧受部８３２との間）に設けられている。このトーションばねからなる加圧部８４０にもロック軸８１０が挿入されている。トーションばねからなる加圧部８４０の一端はハウジング１００のフランジ３００に押し当てられており、他端は圧受部８３２に押し当てられている。これにより、ロック片８２２の係止部８２４が閉状態にある蓋部５００（分割蓋部５１０）の被係止部５４０に係止するように、ロック部材８２０は加圧部８４０から常時力を受けている。
【００５１】
図１８に示されるように、操作部材８５０は、操作ボタンからなる被操作部８５２と、被操作部８５２の反対側の端部で構成された押圧部８５４と、被ガイド部８５６とを有している。押圧部８５４は、図２０に示されるように、被操作部８５２を押圧操作された際に力受部８３０にその力を伝達するための部位である。図９及び図１８から理解されるように、被ガイド部８５６は、操作部材８５０を操作部材保持部２４０に取り付けた際に操作部材ガイド部２４２に挿入されガイドされる部位である。
【００５２】
本実施の形態によるロック機構８００は、閉状態にある蓋部５００の被係止部５４０に対してロック部材８２０の係止部８２４が係止する一方、圧受部８３２に対する加圧部８４０の加圧により、その係止状態を維持することで、蓋部５００を閉状態に維持する。このときのロック片８２２の位置をロック位置とよぶ。ロック片８２２がロック位置にあるとき、本実施の形態による操作部材８５０は、−Ｚ方向において蓋部５００を越えて出っ張ってしまうことがない。また、図１９及び図２０から理解されるように、ロック片８２２がロック位置にあるとき、ロック片８２２の最頂部も−Ｚ方向において蓋部５００を越えて出っ張ってしまうことがない。即ち、操作部材８５０の被操作部８５２もロック片８２２の最頂部も蓋部５００の上面（−Ｚ側表面）と同じか上面より低い（＋Ｚ側にある）ようにロック機構８００は設計されている。
【００５３】
ロック片８２２がロック位置にあるとき、操作部材８５０の被操作部８５２を＋Ｚ側に押圧操作すると、図２０に示されるように、操作部材８５０の押圧部８５４がロック部材８２０の力受部８３０を押圧し、図１９に示されるように、ロック部材８２０のロック片８２２を回動させることによって、被係止部５４０に対する係止部８２４の係止が解除される。このときのロック片８２２の位置を解除位置とよぶ。図１９及び図２０から理解されるように、ロック片８２２が解除位置にあるときも、操作部材８５０の被操作部８５２とロック片８２２の最頂部とが−Ｚ方向において蓋部５００を越えて出っ張ってしまうことがない。本実施の形態においては、操作部材８５０が係止部８２４の変位するＸＺ面内ではなく、Ｙ方向においてそのＸＺ面からずれた位置に位置していることから、上述したように、Ｚ方向におけるロック機構８００の蓋部５００からの突出を抑えて、ロック機構８００を構成することができる。
【００５４】
このような構成を備えるコネクタ１０においては、まず蓋部５００が閉状態にありロック片８２２がロック位置にあるとき、−Ｚ方向において蓋部５００を越えて突出してしまうような部位がなく、且つ、ＸＹ平面内においてフランジ３００よりも突出してしまうような部位もない（図２及び図３参照）。
【００５５】
操作部材８５０を押圧操作してロック機構８００によるロックを解除すると、回動軸４００のトーションばね４２０のバネ力によって、分割蓋部５１０がそれぞれ対応する回動軸４００側に移動しつつＸＺ平面と平行になるように回転する（図５及び図６参照）。この過程（図４も併せて参照）における分割蓋部５１０の変位に必要とされる領域マージンは非常に少ない。
【００５６】
図５及び図６に示されるように蓋部５００が開状態にあるとき、−Ｚ方向における蓋部５００の受容部２００からの突出量を抑えることができているため、相手側コネクタ５０の嵌合部５２を受容部２００に受容させる際に蓋部５００が邪魔になってしまうことがない。
【００５７】
２つの分割蓋部５１０が連動部材７００によって連結されていることから、開状態にある蓋部５００を閉状態に移行させる（蓋部５００を閉じる）ためには、一方の分割蓋部５１０のみを移動させればよい。従って、蓋部５００を２つの分割蓋部５１０に分割したことにより操作が増えてしまうといったこともない。
【符号の説明】
【００５８】
１０        コネクタ（受電コネクタ、インレット）
５０        相手側コネクタ（給電コネクタ、プラグ）
５２        嵌合部
１００        ハウジング
２００        受容部
２１０        開口部
２２０        端子収容部
２３２        軸受部
２３４        支持ガイド部
２４０        操作部材保持部
２４２        操作部材ガイド部
２４４        ロック軸受部
２５０        受容部側係止部
２５２        斜面
２６０        受容部側係止補助部
２６２        斜面
３００        フランジ
３０５        孔
３１０        固定部材
４００        回動軸
４２０        トーションばね
４４０        Ｅリング
５００        蓋部（インレットリッド）
５０２        境界
５１０        分割蓋部
５１２        一端
５１４        裏面
５２０        半円状突部
５３０        パッキン収容部
５３２        半環溝部
５３４        端部溝部
５４０        被係止部
５５０        連結部
５５２        孔
５６０        蓋部側係止部
５６２        斜面
５７０        蓋部側係止補助部
５７２        斜面
５８０        パッキン（シール部材）
５８２        半環部
５８４        端帯部
５８６        スペース
６００        アーム
６０２        直腕部
６０４        曲腕部
６０６        肘部（コーナー部）
６１０        突出部
６２０        連結部
６３０        連結部
６３４        ばね押さえ部
７００        連動部材
７１０        中心部
７２０        バー
７２４        ガイドスロット
７３０        被支持ガイド部
８００        ロック機構
８１０        ロック軸
８２０        ロック部材
８２２        ロック片
８２４        係止部
８３０        力受部
８３２        圧受部
８４０        加圧部
８５０        操作部材
８５２        被操作部
８５４        押圧部
８５６        被ガイド部
【図１】
0005779079.tif 000002
【図２】
0005779079.tif 000003
【図３】
0005779079.tif 000004
【図４】
0005779079.tif 000005
【図５】
0005779079.tif 000006
【図６】
0005779079.tif 000007
【図７】
0005779079.tif 000008
【図８】
0005779079.tif 000009
【図９】
0005779079.tif 000010
【図１０】
0005779079.tif 000011
【図１１】
0005779079.tif 000012
【図１２】
0005779079.tif 000013
【図１３】
0005779079.tif 000014
【図１４】
0005779079.tif 000015
【図１５】
0005779079.tif 000016
【図１６】
0005779079.tif 000017
【図１７】
0005779079.tif 000018
【図１８】
0005779079.tif 000019
【図１９】
0005779079.tif 000020
【図２０】
0005779079.tif 000021